(57)【要約】  デジタル変調された高周波信号のＩ及び／又はＱ成分をグラフィカルに表示する方法を提供することである。この結果、経時的に測定されたＩ又はＱ成分は、ディスプレイ（８）上に並んで表示される。
2005513442.tif 000002
【特許請求の範囲】
【請求項１】
デジタル変調された高周波信号のＩ成分又はＱ成分をグラフィカルに表示する方法であって、
時系列に計測された前記Ｉ又はＱ成分が、並んでグラフィカルに表示されることを特徴とする方法。
【請求項２】
デジタル変調された高周波信号のＩ及びＱ成分を同時にグラフィカルに表示する方法であって、
時系列に計測された前記Ｉ及びＱ成分が、一次元において、並んでグラフィカルに表示されることを特徴とする方法。
【請求項３】
前記Ｉ／Ｑ成分は、時系列にシームレスに計測され、並んでグラフィカルに表示されることを特徴とする請求項１又は２に記載の方法。
【請求項４】
それぞれのケースごとに、時系列の多数のＩ／Ｑ成分が照合されて結果値が提供され、これらの時系列の結果値が、ディスプレイ上に、並んでグラフィカルに表示されることを特徴とする請求項１乃至３のいずれかに記載の方法。
【請求項５】
特に請求項１乃至４のいずれかに記載の方法を実装するべく、デジタル変調された信号のＩ／Ｑ成分をグラフィカルに表示する構成において、
表示対象の前記デジタル変調された高周波信号の前記Ｉ及び／又はＱ成分を連続的に判定するＩ／Ｑ復調器（１）であって、このＩ出力及び／又はＱ出力は、パラレルに構成された多数のしきい値検出器（４）に接続されており、これらの検出器は、それぞれ、前記Ｉ／Ｑ成分の表示範囲（６４ＱＡＭの場合には、−８〜＋８）内の異なるしきい値（０〜ｎ）に調節されており、これらの状態が、時間間隔をおいて、走査及び照合されて結果値が形成され、ディスプレイ装置（８）上に、グラフィカルに表示されるＩ／Ｑ復調器（１）を特徴とする構成。
【請求項６】
前記結果値は、前記ディスプレイ装置（８）上に、前記関連するＩ／Ｑ成分の判定フィールド境界線と共に、垂直振幅値として、並んでグラフィカルに表示されることを特徴とする請求項５に記載の構成。
【請求項７】
時間間隔をおいて照合された前記結果値はバッファメモリ（６）内に保存され、グラフィカルに表示するべく、読み出し装置（７）によって読み出し可能であることを特徴とする請求項５又は６に記載の構成。
【請求項８】
前記検出器（４）の状態が前記バッファメモリ（６）内に複写された後に、これらは、新しい計測値を記録するべくリセット可能であることを特徴とする請求項５乃至７のいずれかに記載の構成。
【請求項９】
前記Ｉ／Ｑ復調器（１）と前記パラレルしきい値検出器（４）間に、コンバータ（２）が配置されており、これにより、任意選択によって、Ｉ成分のみ又はＱ成分のみが連続的にシリアルに前記しきい値検出器（４）に供給されることを特徴とする請求項５乃至８のいずれかに記載の構成。
【発明の詳細な説明】
【技術分野】
【０００１】
本発明は、ＱＡＭ（Ｑｕａｄｒａｔｕｒｅ  Ａｍｐｌｉｔｕｄｅ  Ｍｏｄｕｌａｔｉｏｎ：直交振幅変調）信号やＶＳＢ（Ｖｅｓｔｉｇｉａｌ  Ｓｉｄｅｂａｎｄ  Ｍｏｄｕｌａｔｉｏｎ：残留側波帯変調）信号などのデジタル変調された高周波信号のＩ及び／又はＱ成分をグラフィカル（図的）に表示する方法と、この方法を実装するための構成に関するものである。
【背景技術】
【０００２】
最近の通信システムの評価及び監視を行うには、計測技術を使用し、それらのシステムにおいて使用されているデジタル変調された高周波信号を記録しなければならない。この種のデジタル変調高周波信号は、Ｉ／Ｑ構成図によって表示されている。観察者に対して、画面上において、６４ＱＡＭなどのこの種の比較的高次のデジタル変調の構成図をグラフィカルに直接提示可能であることは、既に周知である（例えば、特許文献１）。
【０００３】
また、構成図の個々のシンボルを表す値の集団の間隔が、所謂「アイダイアグラム（Ｅｙｅ−ｄｉａｇｒａｍ）」として画面上に表示されるように、受信機のＩ／Ｑ復調器において時系列に計測されたＩ／Ｑ成分を画面上に別個に（或いは、任意選択により、同時にスーパーインポーズして）グラフィカルに表示可能であることも既に周知である。このように表示された所謂「アイオープニング（Ｅｙｅ−ｏｐｅｎｉｎｇ）」により、デジタル変調及び信号伝送の品質の尺度が提供される。
【０００４】
これらの既存の表示方法に伴う１つの欠点は、発生し得る干渉（例：周期的に発生する干渉パルス）の時間的な経過に関する十分な情報を提供できないことである。また、既存の表示法によれば、実際に存在しているＩ／Ｑデータの中で、短い時間ウィンドウ内において記録された一部分のみが表示され、画面上に提示されることになる。従って、多数の計測値がまったく記録されないため、その表示内容には、相当のギャップが含まれることになる。
【特許文献１】独国特許出願公開第１９５４７８９６Ａ１号明細書
【発明の開示】
【発明が解決しようとする課題】
【０００５】
本発明の目的は、デジタル変調された高周波信号のＩ／Ｑ成分をグラフィカルに表示する方法を提供することであり、この方法によれば、これらの欠点が回避されると共に、表示信号の時間的な経緯に関する情報も提供される。そして、本発明の更なる目的は、このようなデジタル変調された高周波信号のＩ／Ｑ成分をシームレス（絶え間なく）に表示可能な構成を提供することである。
【課題を解決するための手段】
【０００６】
本発明によれば、この目的は、請求項１の特徴を有する方法と、請求項５の特徴を有する構成によって実現される。尚、有利な更なる実施例については、従属請求項に定義されている。
【０００７】
本発明による方法によれば、時系列に計測されたＩ及び／又はＱ成分が、グラフィックディスプレイ上に、並んで表示される。従って、追加の次元として、時間もグラフィカルに表示されることになる。この結果、例えば、その他の方法では確実に記録できなかったり、或いは、その発生が稀であることから記録することができない信号の周期的な干渉を確実に識別することができる。そして、その一方で、所謂最小アイオープニング（この時間的な経過は、グラフィカルに表示されたＩ／Ｑ成分間の距離によってグラフィカルに表示される）を前述のアイダイアグラムとまったく同様に計測可能である。本発明によるこの方法は、例えば、米国において従来から使用されているＱＡＭ（Ｑｕａｄｒａｔｕｒｅ  Ａｍｐｌｉｔｕｄｅ  Ｍｏｄｕｌａｔｉｏｎ）信号やＶＳＭ（Ｖｅｓｔｉｇｉａｌ  Ｓｉｄｅｂａｎｄ  Ｍｏｄｕｌａｔｉｏｎ）（例：８ＶＳＢ）など、Ｉ成分又はＱ成分、或いは合成されたＩ／Ｑ成分を参照して判定される従来のすべてのデジタル変調された高周波信号をグラフィカルに表示するのに適している。
【発明を実施するための最良の形態】
【０００８】
本明細書においては、模範的な実施例を示す添付の図面を参照し、本発明について詳細に説明する。
【０００９】
図１は、例えば、６４ＱＡＭ信号などにおいて、本発明による方法を実装するための構成の概略回路図を示している。ＱＡＭ変調された高周波信号は、受信機１のＩ／Ｑ復調器１内において復調される。このシームレスに復調された時系列のＩ／Ｑ成分は、更なる処理のために、復調器の出力からパラレルに供給される。この図示の模範的な実施例においては、Ｉ及びＱ成分の両方が評価対象となっている。従って、このパラレルに到来するＩ及びＱ成分は、コンバータ２においてシリアルなＩ／Ｑ成分に変換された後に、検出器装置３に供給されるが、この検出器装置３は、関連する構成図の表示範囲（例：６４ＱＡＭの場合には、−８〜＋８の範囲）内における異なるしきい値０〜ｎにそれぞれがチューニングされたパラレル構成のｎ（ｎは大きな数である）個の振幅しきい値検出器４から構成されている。これらの検出器４の出力は、スキャナ５に接続されており、このスキャナ５により、ｎ個の検出器４の関連する状態が、所定の時間間隔（例：１００ｍｓ）をおいて、走査される。そして、この走査結果は、バッファメモリ６内に、デジタルの結果値として中間保存され、この値が、このメモリから、規則的な時間間隔をおいて、読み出し装置７によって読み出され、計算及び表示装置８（ディスプレイ及びデジタル信号プロセッサ）の画面上にグラフィカルに表示されることになる。
【００１０】
図２は、ＱＡＭ信号のＩ及びＱ成分を評価する際の本発明による方法の原理を概略的に示している。Ｉ／Ｑ復調器の出力からパラレルに時系列に供給されたＩ及びＱ成分は、照合され、長さが、例えば、１００ｍｓの構成図パケットＰが形成される。そして、図２に示されているように、Ｉ成分が９０°回転され、Ｑ成分と同一の垂直方向に向けられる。この結果、構成図の一次元表示が提供されることになる。尚、この過程において、なんらの情報も失われてはいない。次いで、これらの時系列に生成された構成図パケットＰの一次元のＩ／Ｑ表示が、並んでグラフィカルに表示されることになり、従って、この表示内には、追加の次元として、時間が含まれている。
【００１１】
これは、メモリ技術の観点から、図１の構成によって実現され、この構成においては、パラレルのＩ／Ｑ成分が、コンバータ２においてシリアル成分に変換され、等価な成分として検出器装置３に供給されている。そして、ｎ個の検出器４のそれぞれが、このシリアルに供給されたＩ及びＱ成分の中で、自身に関連する値（例：０〜２５５）に対応するものを確定する。即ち、検出器の関連するしきい値にＩ又はＱ成分が対応している場合には、その検出器が起動され、その出力が０から１に設定される。そして、例えば、１００ｍｓの所与の計測時間の後に、スキャナ５が、この計測時間内において検出器０〜ｎの中のいずれが起動したかを判定する。次いで、この結果が、デジタルの結果値として、バッファ６内に中間保存される。従って、この結果値において、検出器の最後の走査以降の期間において計測された信号に発生するすべてのｎ個の検出器の結果が照合されることになる。この結果、それぞれのデジタル結果値は、存在している検出器と同じ数の２進数字を有することになる。そして、これらの数字のそれぞれは、可能なＩ又はＱ成分の中の１つを正確に特徴付けている。
【００１２】
別の可能な選択肢は、結果値をアレイのアドレスとして解釈可能な複数桁の数にすることである。これらの数字のそれぞれは、この場合にも、Ｉ又はＱ値を特徴付けている。これらの数字の値（アドレスの内容）は、検出器のリセット以降に発生した割り当てられた計測値の数によって決定される。従って、それぞれの個々のイベントにより、これらのアドレスの内容は増分される。この結果、計測値の発生だけでなく、その頻度が判明する。この可能な選択肢は、例えば、発生したＩ／Ｑ成分の頻度分布を、例えば、カラースケールによってグラフィカルに表示する際に、特に有利に使用可能である。
【００１３】
このバッファメモリ６内に保存された結果値は、読み出し装置７によって読み出され、グラフィックディスプレイ８上に、並んで水平に表示される。この結果、デジタル変調された高周波信号のアイオープニングが得られるが、これは、実際に時間に依存したものになっている。尚、ディスプレイの最大時間表示範囲に短時間で到達するため、時間軸をリスケーリングしなければならない。このために、この場合にも、計測の開始以降に発生したＩ／Ｑ成分のすべてを記録及び表示するべく、グラフィカルな表示に適した方法によって様々な結果値を照合する。
【００１４】
この結果値の照合は、２つの異なる方法によって実行可能である。
【００１５】
１つは、結果値を照合し、保存した後に、グラフィカルに表示する方法である。この方法は、メモリ効率は非常に優れているが、過去に遡った表示の拡張（時間範囲の拡大）を行うことはできない。そして、全体として保存される結果値の最大数が一定である（即ち、現在表示されている時間範囲とは無関係である）。
【００１６】
別の可能な選択肢は、この場合に、結果値自身を変更することなしに、すべての結果値を別個に保存し、グラフィカルな表示のためにのみ、それらを照合する方法である。この方法は、特に長期間にわたる計測の場合に、非常にメモリ集約的なものになるが、計測曲線に沿ったあらゆる地点の表示を後から拡大することができる。但し、メモリ内においてかなり大きなスペースが要求される。
【００１７】
図３は、表示時間が２０秒の６４ＱＡＭ信号の計測結果を示している。この信号は、幅が２５ｎｓのパルスによる２秒ごとの干渉にさらされている。そして、これらのパルスのすべてが、本装置によって記録されている（シームレス記録）。妨害を受けたのが１つのシンボルのみか、或いは２つのシンボルか、に応じて、それぞれのパルスごとに、少なくとも２つの妨害を受けた計測ポイント（Ｉ及びＱ成分）が可視状態となっている。この図３の表示図においては、構成図の垂直の判定フィールド境界線（−８〜＋８）が水平のラインとして示されている。結果値を形成するべく照合されるＩ及びＱ成分は、これらの判定フィールド境界線間における２０秒以内のブロックストリップとして表示されており、この場合に、介在している間隔は、アイダイアグラムにおいて定義されるアイ高さ（Ｅｙｅ−ｈｅｉｇｈｔ）に対応するものである。干渉パルスによって生成された計測ポイントは、それぞれ、点線で描かれた矢印によってマーキングされている。この場合に使用されている図１の関連する検出器の数ｎ（例：ｎ＝２５５）は、図３の右側に示されている６４ＱＡＭの構成図の垂直の判定フィールド境界線に割り当てられている。
【００１８】
図４は、表示時間が４日間の更なる計測及び表示を示している。この場合にも、６４ＱＡＭ信号が表示されており、この信号は、時刻に依存して周期的に上下に変動する干渉にさらされている。この原因は、例えば、ＥＭＶ問題や温度差などである。この場合にも、膨らんだ水平のラインとして表示されている２つのＩ又はＱ成分間の間隔は、アイダイアグラムにおけるアイ高さに対応するものである。
【００１９】
表示対象の時間範囲は、広い境界線内において、ユーザーが設定可能である。ユーザーによって定義された時間範囲（例：１時間）は、ディスプレイ内において、まず、最小時間範囲（２０秒）において開始される。そして、この期間に到達すると、本装置は、自動的に次の最も大きな時間範囲（この場合には、４０秒）に切り替わり（以下同様）、最後に、所望の時間範囲がディスプレイ上に表示される。
【００２０】
これ以降は、ディスプレイは、所謂ロールモードに切り替わることになる（即ち、新しい計測値がディスプレイの右端部に追加されると共に、最も古い計測値が左端部から消えてゆくことになる）。この結果、ディスプレイ内において、ユーザーによって指定された時間範囲のすべてが、現在の計測値によって常に可視状態となる。尚、表示可能な最大時間範囲は１０００日である。そして、計測値のシームレスな記録は、この動作モードにおいても実現可能である。
【００２１】
６４ＱＡＭに基づいた以上の模範的な実施例においては、Ｉ及びＱ成分の両方が評価され、スーパーインポーズして表示されている。当然のことながら、Ｉ成分のみ、又はＱ成分のみをグラフィカルに表示することも可能である。この場合には、コンバータ２におけるパラレル／シリアル変換は省略され、Ｉ成分又はＱ成分のみがパラレル検出器４に供給されることになる。そして、評価及び表示については、前述のものと同様である。Ｉ成分及びＱ成分の別個、同時の表示も可能であり、この場合には、例えば、図２のＩ成分は、Ｑ成分に向かう方向に９０°だけ上方に直接回転されず、反対に、下方に回転された後にシフトされることになり、この結果、ディスプレイ上に、別個の水平の計測ストリップとして、両方の成分がグラフィカルに表示される。
【００２２】
このパラレルに構成された多数のしきい値検出器を有する図１に示されている構成によれば、復調器から供給されるすべてのＩ／Ｑ計測値をシームレスに評価できるため、これは、本発明による方法に有利なだけではなく、従来の構成図の表示においても有利に使用可能であろう。従来の構成図の表示においては、実際に発生した計測値のごく一部しか処理及び表示されていない。本発明による構成によれば、計測値の１００％シームレスの記録が可能であり、非常に短いパルスによる干渉も（伝送において、わずかに１つのシンボルが妨害を受けた場合にも）記録することができる。
【図面の簡単な説明】
【００２３】
【図１】本発明による構成の概略回路図
【図２】本発明による方法の概略図
【図３】計測結果の第１例を示す図
【図４】計測結果の第２例を示す図
【図１】
2005513442.tif 000003
【図２】
2005513442.tif 000004
【図３】
2005513442.tif 000005
【図４】
2005513442.tif 000006
【国際調査報告】
2005513442.tif 000007
2005513442.tif 000008
2005513442.tif 000009
2005513442.tif 000010
2005513442.tif 000011
2005513442.tif 000012
2005513442.tif 000013
2005513442.tif 000014
2005513442.tif 000015
2005513442.tif 000016